(57)【要約】      （修正有）【課題】孔部内に充填材を確実に充填して歩留まりを向上させる手段を提供する。【解決手段】第１基板４０の中央部に位置する孔形成領域Ｒ１に、第１基板４０の少なくとも一方の面４０ａ側に開口する孔部を形成する孔部形成工程と、第１基板４０の一方の面４０ａ上の外周部Ｒ２を覆うメタルマスク８０を配置し、メタルマスク８０に形成された開口部８１を通して孔形成領域Ｒ１を露出させるメタルマスク配置工程と、可撓スキージ８５をメタルマスク８０に押圧しながら開口部８１上で移動させることで、貫通電極の少なくとも一部を構成する充填材を第１基板４０の一方の面４０ａ側に塗布して孔部内に充填する充填工程と、を有し、開口部８１は、平面視での開口幅Ｗ１が一定とされ一方向Ｘに沿って延在する定幅部分８２を備え、充填工程の際、可撓スキージ８５を開口部８１上で一方向Ｘに沿って移動させることを特徴とするパッケージの製造方法。【選択図】図１１
2011155148.tif 000002
【特許請求の範囲】
【請求項１】
互いに接合された複数の基板の間に形成されたキャビティ内に、電子部品を封入可能なパッケージの製造方法であって、
前記複数の基板のうち、第１基板を厚さ方向に貫通し、前記キャビティの内側と前記パッケージの外側とを導通する貫通電極を形成する貫通電極形成工程を有し、
前記貫通電極形成工程は、
前記第１基板の中央部に位置する孔形成領域に、前記第１基板の少なくとも一方の面側に開口する孔部を形成する孔部形成工程と、
前記第１基板の前記一方の面上の外周部を覆うメタルマスクを配置し、前記メタルマスクに形成された開口部を通して前記孔形成領域を露出させるメタルマスク配置工程と、
可撓スキージを前記メタルマスクに押圧しながら前記開口部上で移動させることで、前記貫通電極の少なくとも一部を構成する充填材を前記第１基板の一方の面側に塗布して前記孔部内に充填する充填工程と、を有し、
前記開口部は、平面視での開口幅が一定とされ一方向に沿って延在する定幅部分を備え、
前記充填工程の際、前記可撓スキージを前記開口部上で前記一方向に沿って移動させることを特徴とするパッケージの製造方法。
【請求項２】
請求項１記載のパッケージの製造方法であって、
前記開口部の平面視形状は、前記一方向に沿って延在する一辺を有する矩形状であることを特徴とするパッケージの製造方法。
【請求項３】
請求項２記載のパッケージの製造方法であって、
前記第１基板は、平面視矩形状とされ、
前記メタルマスク配置工程の際、前記一方向が前記第１基板の縁辺と平行になるように前記メタルマスクを配置することを特徴とするパッケージの製造方法。
【請求項４】
請求項１から３のいずれか１項に記載のパッケージの製造方法を実施する工程と、前記電子部品としての圧電振動片を前記貫通電極に実装しつつ前記キャビティの内部に配置する工程とを有することを特徴とする圧電振動子の製造方法。
【請求項５】
請求項４に記載の方法で製造された圧電振動子が、発振子として集積回路に電気的に接続されていることを特徴とする発振器。
【請求項６】
請求項４に記載の方法で製造された圧電振動子が、計時部に電気的に接続されていることを特徴とする電子機器。
【請求項７】
請求項４に記載の方法で製造された圧電振動子が、フィルタ部に電気的に接続されていることを特徴とする電波時計。
【発明の詳細な説明】
【技術分野】
【０００１】
本発明は、パッケージの製造方法、圧電振動子の製造方法、発振器、電子機器および電波時計に関する。
【背景技術】
【０００２】
近年、携帯電話や携帯情報端末機器には、時刻源や制御信号等のタイミング源、リファレンス信号源等として水晶等を利用した圧電振動子が用いられている。この種の圧電振動子は、様々なものが知られているが、その１つとして、表面実装型の圧電振動子が知られている。この種の圧電振動子として、一般的に圧電振動片が形成された圧電基板を、ベース基板とリッド基板とで上下から挟み込むように接合した３層構造タイプのものが知られている。この場合、圧電振動片は、ベース基板とリッド基板との間に形成されたキャビティ（密閉室）内に収容されている。
【０００３】
また、近年では、上述した３層構造タイプのものではなく、２層構造タイプのものも開発されている。このタイプの圧電振動子は、ベース基板とリッド基板とが直接接合されることで２層構造になっており、両基板の間に形成されたキャビティ内に圧電振動片が収容されている。この２層構造タイプの圧電振動子は、３層構造のものに比べて薄型化を図ることができる等の点において優れており、好適に使用されている。
【０００４】
このような２層構造タイプの圧電振動子の１つとして、ガラス製のベース基板に形成された貫通孔に、銀ペーストなどの導電部材を充填し焼成することで貫通電極を形成し、圧電振動片（水晶振動子）と、ベース基板の外側に設けられた外部電極とを電気的に接続したものが知られている（例えば、特許文献１参照）。
【先行技術文献】
【特許文献】
【０００５】
【特許文献１】特開２００２−１２４８４５号公報
【発明の概要】
【発明が解決しようとする課題】
【０００６】
しかしながら、銀ペーストによって形成された貫通電極では、焼成により銀ペースト中の樹脂などの有機物が除去されて体積が減少するので、貫通電極の表面に凹部が生じたり、貫通電極に穴が開いたりすることがあった。そして、この貫通電極の凹部や穴がキャビティ内の気密性の低下や、圧電振動片と外部電極との導電性の悪化の原因となることがあった。
【０００７】
そこで、最近では、金属材料からなる金属ピンを用いて貫通電極を形成する方法が開発されている。この方法では、まず、ベース基板に形成された貫通孔に金属ピンを挿通して、貫通孔にガラスフリットを充填し、ガラスフリットを焼成してベース基板と金属ピンとを一体化させている。貫通電極に金属ピンを使用することにより、安定した導電性を確保することができる。
【０００８】
ここで前述した製造方法では、ガラスフリットの充填を以下に示す方法で行っている。
すなわち、図１９および図２０に示すように、ガラスフリット２００を塗布するための開口部２０１が形成されたメタルマスク２０２をベース基板２０３の上面に配置する。次に、可撓スキージ２０４をメタルマスク２０２に押圧しながら開口部２０１上で一方向２０５に移動させることで、ガラスフリット２００をベース基板２０３の上面に塗布し、貫通孔２０６内に充填する。
【０００９】
しかしながら、前述したガラスフリット２００の充填方法では、メタルマスク２０２の開口部２０１が平面視円形状であるため、可撓スキージ２０４を一方向２０５に移動させる過程において、可撓スキージ２０４の開口部２０１上での一方向２０５の位置によって、可撓スキージ２０４からガラスフリット２００に加えられる押圧力にばらつきが生じるおそれがある。すなわち、図２０に示すように、開口幅が狭い一方向２０５の両端部側に可撓スキージ２０４が位置するときには、開口部２０１内への可撓スキージ２０４の撓み量が小さくなって押圧力が弱くなる。一方、図２１に示すように、開口幅が広い開口部２０１の中央部側に可撓スキージ２０４が位置するときには、可撓スキージ２０４の撓み量が大きくなって押圧力が強くなる。
この結果、貫通孔２０６内に充填されるガラスフリット２００の量にばらつきが生じ、ガラスフリット２００が十分に充填されなかった貫通孔２０６では、キャビティ内の気密性が維持できず、パッケージの歩留まりが悪化する可能性がある。
【００１０】
本発明は、前述した事情に鑑みてなされたものであって、その目的は、孔部内に充填材を確実に充填して歩留まりを向上させることができるパッケージの製造方法、圧電振動子の製造方法、発振器、電子機器および電波時計を提供することである。
【課題を解決するための手段】
【００１１】
前記課題を解決するために、本発明は以下の手段を提案している。
本発明に係るパッケージの製造方法は、互いに接合された複数の基板の間に形成されたキャビティ内に、電子部品を封入可能なパッケージの製造方法であって、前記複数の基板のうち、第１基板を厚さ方向に貫通し、前記キャビティの内側と前記パッケージの外側とを導通する貫通電極を形成する貫通電極形成工程を有し、前記貫通電極形成工程は、前記第１基板の中央部に位置する孔形成領域に、前記第１基板の少なくとも一方の面側に開口する孔部を形成する孔部形成工程と、前記第１基板の前記一方の面上の外周部を覆うメタルマスクを配置し、前記メタルマスクに形成された開口部を通して前記孔形成領域を露出させるメタルマスク配置工程と、可撓スキージを前記メタルマスクに押圧しながら前記開口部上で移動させることで、前記貫通電極の少なくとも一部を構成する充填材を前記第１基板の一方の面側に塗布して前記孔部内に充填する充填工程と、を有し、前記開口部は、平面視での開口幅が一定とされ一方向に沿って延在する定幅部分を備え、前記充填工程の際、前記可撓スキージを前記開口部上で前記一方向に沿って移動させることを特徴とする。
【００１２】
この発明によれば、充填工程の際、定幅部分が延在する一方向に沿って可撓スキージを開口部上で移動させるので、可撓スキージを開口部の定幅部分上で移動させる過程において、開口部内への可撓スキージの撓み量を一定にすることができる。したがって、可撓スキージから充填材に加えられる押圧力が、可撓スキージの一方向の位置に依存してばらつくのを抑えることが可能になり、孔部内に充填材を確実に充填することができる。
【００１３】
また、前記開口部の平面視形状は、前記一方向に沿って延在する一辺を有する矩形状であっても良い。
【００１４】
この場合、開口部の平面視形状が、一方向に沿って延在する一辺を有する矩形状となっているので、開口部の定幅部分が、開口部の一方向の全長にわたって延在することとなる。したがって、充填工程の際、可撓スキージから充填材に加えられる押圧力が、可撓スキージの一方向の位置に依存してばらつくのを、開口部の一方向の全長にわたって抑えることが可能になり、孔部内に充填材をより確実に充填することができる。
また、開口部の平面視形状が矩形状なので、メタルマスクに開口部を容易に形成することができる。
【００１５】
また、前記第１基板は、平面視矩形状とされ、前記メタルマスク配置工程の際、前記一方向が前記第１基板の縁辺と平行になるように前記メタルマスクを配置しても良い。
【００１６】
この場合、メタルマスク配置工程の際、一方向が第１基板の縁辺と平行になるようにメタルマスクを配置するので、開口部から露出される第１基板の孔形成領域の大きさを確保しつつ、メタルマスクによって覆われる第１基板の外周部を狭くすることができる。
なお、貫通電極形成工程の際、第１基板として、切断して小片化することで複数の第１基板となる第１基板用ウエハを用いる場合、１つの第１基板用ウエハからの第１基板の取り個数は、第１基板用ウエハの孔形成領域の大きさに依存する。したがって、第１基板用ウエハの孔形成領域の大きさを確保しつつ、第１基板用ウエハの外周部を狭くすることで、ウエハ単位面積当たりの第１基板の取り個数を増加させることができる。
【００１７】
また、また、本発明に係る圧電振動子の製造方法は、前記パッケージの製造方法を実施する工程と、前記電子部品としての圧電振動片を前記貫通電極に実装しつつ前記キャビティの内部に配置する工程とを有することを特徴とする。
【００１８】
この発明によれば、孔部内に充填材を確実に充填して歩留まりを向上させることができるパッケージの製造方法を採用しているので、歩留まりが向上された低コストな圧電振動子を提供することができる。
【００１９】
また、本発明に係る発振器は、前記圧電振動子の製造方法で製造された圧電振動子が、発振子として集積回路に電気的に接続されていることを特徴とする。
また、本発明に係る電子機器は、前記圧電振動子の製造方法で製造された圧電振動子が、計時部に電気的に接続されていることを特徴とする。
また、本発明に係る電波時計は、前記圧電振動子の製造方法で製造された圧電振動子が、フィルタ部に電気的に接続されていることを特徴とする。
【００２０】
本発明に係る発振器、電子機器および電波時計によれば、低コストな圧電振動子を用いているため、低コスト化を図ることができる。
【発明の効果】
【００２１】
本発明によれば、孔部内に充填材を確実に充填して歩留まりを向上させることができる。
【図面の簡単な説明】
【００２２】
【図１】本実施形態における第１実施形態の圧電振動子を示す外観斜視図である。
【図２】図１に示す圧電振動子の内部構成図であって、リッド基板を取り外した状態の平面図である。
【図３】図２のＡ−Ａ線における断面図である。
【図４】図１に示す圧電振動子の分解斜視図である。
【図５】圧電振動片の平面図である。
【図６】圧電振動片の底面図である。
【図７】図５のＢ−Ｂ線における断面図である。
【図８】本実施形態の第１実施形態の圧電振動子の製造方法のフローチャートである。
【図９】ウエハ体の分解斜視図である。
【図１０】芯材部配置工程を表す説明図である。
【図１１】ガラスフリット充填工程を表す説明図である。
【図１２】メタルマスク除去工程を表す説明図である。
【図１３】本実施形態の第２実施形態の圧電振動子の製造方法におけるガラスフリット充填工程を表す説明図である。
【図１４】本実施形態の第３実施形態の圧電振動子の製造方法のフローチャートである。
【図１５】本実施形態の第３実施形態の圧電振動子の製造方法におけるガラスフリット充填工程を表す説明図である。
【図１６】発振器の一実施形態を示す構成図である。
【図１７】電子機器の一実施形態を示す構成図である。
【図１８】電波時計の一実施形態を示す構成図である。
【図１９】従来のガラスフリット充填方法を説明するための図である。
【図２０】図１９に示すＤ−Ｄ線における断面図である。
【図２１】図１９に示すＥ−Ｅ線における断面図である。
【発明を実施するための形態】
【００２３】
（第１実施形態）
以下、本発明の第１実施形態につき図面を参照して説明する。
（圧電振動子）
図１から図４に示すように、本実施形態の圧電振動子１は、互いに接合された複数の基板２、３の間に形成されたキャビティＣ内に、電子部品としての圧電振動片４が封入されたパッケージ５を備える表面実装型の構成とされている。パッケージ５は、ベース基板（第１基板）２とリッド基板３とで２層に積層された箱状に形成されている。なお、図４においては、図面を見易くするために後述する励振電極１５、引き出し電極１９、２０、マウント電極１６、１７及び重り金属膜２１の図示を省略している。
【００２４】
図５から図７に示すように、圧電振動片４は、水晶やタンタル酸リチウム、ニオブ酸リチウム等の圧電材料から形成された音叉型の振動片であり、所定の電圧が印加されたときに振動するものである。
【００２５】
この圧電振動片４は、平行に配置された一対の振動腕部１０、１１と、一対の振動腕部１０、１１の基端側を一体的に固定する基部１２と、一対の振動腕部１０、１１の外表面上に形成されて一対の振動腕部１０、１１を振動させる第１の励振電極１３と第２の励振電極１４とからなる励振電極１５と、第１の励振電極１３及び第２の励振電極１４に電気的に接続されたマウント電極１６、１７とを有している。
また、本実施形態の圧電振動片４は、一対の振動腕部１０、１１の両主面上に、振動腕部１０、１１の長手方向に沿ってそれぞれ形成された溝部１８を備えている。この溝部１８は、振動腕部１０、１１の基端側から略中間付近まで形成されている。
【００２６】
励振電極１３、１４は、図５および図６に示すように、一対の振動腕部１０、１１の主面上に形成される。励振電極１３、１４は、例えば、クロム（Ｃｒ）等の単層の導電性膜により形成される。第１の励振電極１３と第２の励振電極１４とからなる励振電極１５は、一対の振動腕部１０、１１を互いに接近または離間する方向に所定の共振周波数で振動させる電極であり、一対の振動腕部１０、１１の外表面に、それぞれ電気的に切り離された状態でパターニングされて形成されている。具体的には、第１の励振電極１３が、一方の振動腕部１０の溝部１８上と他方の振動腕部１１の両側面上とに主に形成され、第２の励振電極１４が、一方の振動腕部１０の両側面上と他方の振動腕部１１の溝部１８上とに主に形成されている。
【００２７】
また、第１の励振電極１３及び第２の励振電極１４は、基部１２の両主面上において、それぞれ引き出し電極１９、２０を介してマウント電極１６、１７に電気的に接続されている。そして圧電振動片４は、このマウント電極１６、１７を介して電圧が印加されるようになっている。
なお、マウント電極１６、１７及び引き出し電極１９、２０は、クロム（Ｃｒ）と金（Ａｕ）との積層膜であり、水晶と密着性の良いクロム膜を下地として成膜した後に、表面に金の薄膜を施したものである。
【００２８】
また、一対の振動腕部１０、１１の先端には、自身の振動状態を所定の周波数の範囲内で振動するように調整（周波数調整）を行うための重り金属膜２１が被膜されている。なお、この重り金属膜２１は、周波数を粗く調整する際に使用される粗調膜２１ａと、微小に調整する際に使用される微調膜２１ｂとに分かれている。これら粗調膜２１ａ及び微調膜２１ｂを利用して周波数調整を行うことで、一対の振動腕部１０、１１の周波数をデバイスの公称周波数の範囲内に収めることができる。
【００２９】
このように構成された圧電振動片４は、図３および図４に示すように、金等のバンプＢを利用して、ベース基板２の内面（上面）にバンプ接合されている。より具体的には、ベース基板２の内面にパターニングされた後述する引き回し電極３６、３７上に形成された２つのバンプＢ上に、一対のマウント電極１６、１７がそれぞれ接触した状態でバンプ接合されている。
【００３０】
リッド基板３は、ガラス材料、例えばソーダ石灰ガラスからなる透明の絶縁基板であり、図１、図３および図４に示すように、板状に形成されている。そして、ベース基板２が接合される接合面側には、圧電振動片４が収まる矩形状の凹部３ａが形成されている。この凹部３ａは、両基板２、３が重ね合わされたときに、圧電振動片４を収容するキャビティＣとなるキャビティ用の凹部である。そして、リッド基板３は、この凹部３ａをベース基板２側に対向させた状態でベース基板２に対して陽極接合されている。
【００３１】
また、図３に示すように、リッド基板３のベース基板２との接合面には、陽極接合用の接合膜３５が形成されている。接合膜３５は、例えばアルミニウム等の導電性材料からなり、スパッタやＣＶＤ等の成膜方法により形成される。なお、凹部３ａの内面全体に形成してもよい。これにより、接合膜３５のパターニングが不要になり、製造コストを低減することができる。
そして、リッド基板３は、この凹部３ａをベース基板２側に対向させた状態で、接合膜３５を介してベース基板２に陽極接合されている。
【００３２】
ベース基板２は、リッド基板３と同様に、ガラス材料、例えばソーダ石灰ガラスからなる透明な絶縁基板であり、図１から図４に示すように、板状に形成されている。
このベース基板２には、ベース基板２を貫通する一対の貫通孔３０、３１が形成されている。本実施形態の貫通孔３０、３１は、マウントされた圧電振動片４の基部１２側に対応した位置に一方の貫通孔３０が形成され、振動腕部１０、１１の先端側に対応した位置に他方の貫通孔３１が形成されている。
【００３３】
そして、これら一対の貫通孔３０、３１には、これら貫通孔３０、３１を埋めるように形成された一対の貫通電極３２、３３が形成されている。これら貫通電極３２、３３は、図３に示すように、焼成によって貫通孔３０、３１に対して一体的に固定された筒体６及び芯材部７によって形成されたものであり、貫通孔３０、３１を完全に塞いでキャビティＣ内の気密を維持しているとともに、後述する外部電極３８、３９と引き回し電極３６、３７とを導通させる役割を担っている。
【００３４】
筒体６は、後述するペースト状のガラスフリット６ａ（図１１参照）が焼成されたものである。筒体６は、両端が平坦で且つベース基板２と略同じ厚みの円筒状に形成されている。そして、筒体６の中心には、芯材部７が筒体６を貫通するように配されている。筒体６および芯材部７は、貫通孔３０、３１内に埋め込まれた状態で焼成されており、貫通孔３０、３１に対して強固に固着されている。
【００３５】
芯材部７は、ステンレスや銀、アルミ等の金属材料により円柱状に形成された導電性の芯材であり、筒体６と同様に両端が平坦で、且つベース基板２の厚みと略同じ厚さとなるように形成されている。この芯材部７は、筒体６の略中心６ｃに位置しており、筒体６の焼成によって筒体６に対して強固に固着されている。なお、貫通電極３２、３３は、導電性の芯材部７を通して電気導通性が確保されている。
【００３６】
また、一対の引き回し電極３６、３７は、一対の貫通電極３２、３３のうち、一方の貫通電極３２と圧電振動片４の一方のマウント電極１６とを電気的に接続するとともに、他方の貫通電極３３と圧電振動片４の他方のマウント電極１７とを電気的に接続するようにパターニングされている。
【００３７】
より詳しく説明すると、一方の引き回し電極３６は、圧電振動片４の基部１２の真下に位置するように一方の貫通電極３２の真上に形成されている。また、他方の引き回し電極３７は、一方の引き回し電極３６に隣接した位置から、振動腕部１０、１１に沿って前記振動腕部１０、１１の先端側に引き回しされた後、他方の貫通電極３３の真上に位置するように形成されている。
【００３８】
そして、これら一対の引き回し電極３６、３７上にそれぞれバンプＢが形成されており、バンプＢを利用して圧電振動片４がマウントされている。これにより、圧電振動片４の一方のマウント電極１６が、一方の引き回し電極３６を介して一方の貫通電極３２に導通し、他方のマウント電極１７が、他方の引き回し電極３７を介して他方の貫通電極３３に導通するようになっている。
【００３９】
また、ベース基板２の外面（下面）には、図１、図３および図４に示すように、一対の貫通電極３２、３３に対してそれぞれ電気的に接続される外部電極３８、３９が形成されている。つまり、一方の外部電極３８は、一方の貫通電極３２及び一方の引き回し電極３６を介して圧電振動片４の第１の励振電極１３に電気的に接続されている。また、他方の外部電極３９は、他方の貫通電極３３及び他方の引き回し電極３７を介して、圧電振動片４の第２の励振電極１４に電気的に接続されている。
【００４０】
このように構成された圧電振動子１を作動させる場合には、ベース基板２に形成された外部電極３８、３９に対して、所定の駆動電圧を印加する。これにより、圧電振動片４の第１の励振電極１３及び第２の励振電極１４からなる励振電極１５に電圧を印加することで、一対の振動腕部１０、１１を接近・離間させる方向に所定の周波数で振動させることができる。そして、この一対の振動腕部１０、１１の振動を利用して、時刻源や制御信号のタイミング源、リファレンス信号源等として利用することができる。
【００４１】
（圧電振動子の製造方法）
次に、本実施形態における圧電振動子１の製造方法について、図８に示すフローチャートに基づいて説明する。
初めに、圧電振動片作製工程Ｓ１０を行って図５から図７に示す圧電振動片４を作製する。具体的には、まず水晶のランバート原石を所定の角度でスライスして一定の厚みのウエハとする。続いて、このウエハをラッピングして粗加工した後、加工変質層をエッチングで取り除き、その後ポリッシュ等の鏡面研磨加工を行って、所定の厚みのウエハとする。続いて、ウエハに洗浄等の適切な処理を施した後、ウエハをフォトリソグラフィ技術によって圧電振動片４の外形形状でパターニングするとともに、金属膜の成膜及びパターニングを行って、励振電極１５、引き出し電極１９、２０、マウント電極１６、１７、重り金属膜２１を形成する。これにより、複数の圧電振動片４を作製することができる。
【００４２】
また、圧電振動片４を作製した後、共振周波数の粗調を行っておく。これは、重り金属膜２１の粗調膜２１ａにレーザ光を照射して一部を蒸発させ、重量を変化させることで行う。なお、共振周波数をより高精度に調整する微調に関しては、マウント後に行う。
【００４３】
次に図９に示すように、上記工程と同時或いは前後のタイミングで、後にリッド基板３（図３参照）となるリッド基板用ウエハ５０を、陽極接合を行う直前の状態まで作製する第１のウエハ作製工程Ｓ２０を行う。具体的には、ソーダ石灰ガラスを所定の厚さまで研磨加工して洗浄した後に、エッチング等により最表面の加工変質層を除去した円板状のリッド基板用ウエハ５０を形成する（Ｓ２１）。次いで、リッド基板用ウエハ５０の接合面に、エッチング等により行列方向にキャビティ用の凹部３ａを複数形成する凹部形成工程Ｓ２２を行う。次に、ベース基板用ウエハ４０との接合面を研磨する接合面研磨工程Ｓ２３を行う。
【００４４】
次に、ベース基板用ウエハ４０との接合面に接合膜３５を形成する接合膜形成工程Ｓ２４を行う。接合膜３５は、ベース基板用ウエハ４０との接合面に加えて、凹部３ａの内面全体に形成してもよい。これにより、接合膜３５のパターニングが不要になり、製造コストを低減することができる。接合膜３５の形成は、スパッタやＣＶＤ等の成膜方法によって行うことができる。なお、接合膜形成工程Ｓ２４の前に接合面研磨工程Ｓ２３を行っているので、接合膜３５の表面の平面度が確保され、ベース基板用ウエハ４０との安定した接合を実現することができる。
【００４５】
次に、上記工程と同時或いは前後のタイミングで、後にベース基板２（図３参照）となるベース基板用ウエハ４０を、陽極接合を行う直前の状態まで作製する第２のウエハ作製工程Ｓ３０を行う。まず、ソーダ石灰ガラスを所定の厚さまで研磨加工して洗浄した後に、エッチング等により最表面の加工変質層を除去した円板状のベース基板用ウエハ４０を形成する（Ｓ３１）。
【００４６】
次に、図３に示すように、ベース基板２を厚さ方向に貫通し、キャビティＣの内側と圧電振動子１の外側とを導通する貫通電極３２、３３を形成する貫通電極形成工程Ｓ３２を行う。以下に、貫通電極形成工程Ｓ３２について詳細を説明する。
【００４７】
貫通電極形成工程Ｓ３２では、まず図１０に示すように、ベース基板用ウエハ４０の中央部に位置する孔形成領域Ｒ１に、ベース基板用ウエハ４０の厚さ方向に貫通する貫通孔（孔部）３０、３１を形成する貫通孔形成工程（孔部形成工程）Ｓ３２Ａを行う。この際、例えば、サンドブラスト法等により貫通孔３０、３１を形成する。
【００４８】
なお図１０では、図面を見易くするために、貫通孔３０、３１の数を省略するとともに、大きさ等を誇張して図示しており、貫通孔３０、３１の数や大きさ等は図示の例に限られない。また図示の例では、貫通孔３０、３１は、ベース基板用ウエハ４０の外面（一方の面）４０ａから内面（他方の面）４０ｂに向かって漸次径が縮径した断面テーパ形状となっているが、ベース基板用ウエハ４０を真っ直ぐに貫通するでも構わない。なお、ベース基板用ウエハ４０の外面４０ａおよび内面４０ｂはそれぞれ、後のベース基板２の外面および内面となる。
【００４９】
次いで、貫通電極３２、３３の一部を構成する芯材部７を貫通孔３０、３１内に配置する芯材部配置工程Ｓ３２Ｂを行う。このとき本実施形態では、芯材部７と、表面に芯材部７が立設された土台部８とを備える導電性の鋲体９を用いて、この鋲体９の芯材部７を、ベース基板用ウエハ４０の内面４０ｂ側から貫通孔３０、３１内に挿入する。なお図示の例では、土台部８がベース基板用ウエハ４０の内面４０ｂに当接した状態で、芯材部７の先端が貫通孔３０、３１内に位置しており、ベース基板用ウエハ４０の外面４０ａよりも外側に突出していない。
【００５０】
次いで、図１１に示すように、ベース基板用ウエハ４０の外面４０ａ上の外周部Ｒ２を覆うメタルマスク８０を配置し、メタルマスク８０に形成された開口部８１を通して孔形成領域Ｒ１を露出させるメタルマスク配置工程Ｓ３２Ｃを行う。この際、メタルマスク８０とベース基板用ウエハ４０の外周部Ｒ２とを互いに密接させる。
【００５１】
ここで本実施形態では、メタルマスク８０は、例えば、厚さが５０μｍ程度とされ、ベース基板用ウエハ４０の外面４０ａ全体を覆うようにステンレスで形成された平板部材である。そして開口部８１は、メタルマスク８０の中央部に形成されている。この開口部８１は、平面視での開口幅Ｗ１が一定とされメタルマスク８０の表面上の第１方向（一方向）Ｘに沿って延在する定幅部分８２を備えている。図示の例では、開口部８１の平面視形状は、第１方向Ｘに沿って延在する一辺８１ａを有する矩形状とされており、開口部８１の定幅部分８２が、開口部８１の第１方向Ｘの全長にわたって延在し、開口部８１の開口幅Ｗ１が第１方向Ｘの全長にわたって一定となっている。また、開口部８１の平面視形状が矩形状であることから、メタルマスク８０の表面上で第１方向Ｘに直交する第２方向Ｙの全長にわたっても、開口部８１の開口幅Ｗ２が一定となっている。さらに図示の例では、開口部８１の平面視形状は、正方形状とされ、開口部８１の開口幅Ｗ１、Ｗ２は互いに等しくなっている。
【００５２】
次いで、可撓スキージ８５をメタルマスク８０に押圧しながら開口部８１上で移動させることで、貫通電極３２、３３の少なくとも一部を構成するガラスフリット（充填材）６ａをベース基板用ウエハ４０の外面４０ａに塗布して貫通孔３０、３１内に充填するガラスフリット充填工程（充填工程）Ｓ３２Ｄを行う。なお、可撓スキージ８５は、ウレタンゴム等の可撓性を具備する軟質部材で形成されるとともに、開口部８１の開口幅Ｗ１、Ｗ２よりも広幅となっている。
【００５３】
この工程では、ガラスフリット６ａをベース基板用ウエハ４０の外面４０ａ側に配するとともに、可撓スキージ８５を第１メタルマスク８０に押圧しながら開口部８１上で第１方向Ｘの全長にわたって移動させる。このとき、可撓スキージ８５を、開口部８１を第２方向Ｙに跨らせた状態で第１方向Ｘに移動させることで、可撓スキージ８５の先端が開口部８１内に撓むこととなる。したがって、ガラスフリット６ａが、可撓スキージ８５によってベース基板用ウエハ４０側に押圧されながら孔形成領域Ｒ１上で引き延ばされる。これにより、ガラスフリット６ａが、開口部８１を介してベース基板用ウエハ４０の孔形成領域Ｒ１に塗布され、貫通孔３０、３１内に充填される。なお、可撓スキージ８５の開口部８１上での移動は、第１方向Ｘに沿った片道移動であっても往復移動であっても良い。また、往復移動の場合、往路と復路とで異なる可撓スキージ８５を用いても良い。
【００５４】
ここで、ベース基板用ウエハ４０の外周部Ｒ２がメタルマスク８０で覆われているので、ガラスフリット６ａがベース基板用ウエハ４０の外面４０ａから側面に伝ってしまうことが抑制される。
また本実施形態では、開口部８１の定幅部分８２が延在する第１方向Ｘに沿って開口部８１上で可撓スキージ８５を移動させるので、可撓スキージ８５を開口部８１の定幅部分８２上で移動させる過程において、開口部８１内への可撓スキージ８５の撓み量を一定にすることができる。
なおこの充填工程Ｓ３２Ｄは、ベース基板用ウエハ４０を図示しない真空チャンバー内に投入し、減圧雰囲気下で行っても良い。
【００５５】
なおガラスフリット充填工程Ｓ３２Ｄを終えた後、ベース基板用ウエハ４０の外面４０ａ上にガラスフリット６ａが残存することになるが、外面４０ａ上のガラスフリット６ａは後述する焼成後の研磨工程Ｓ３２Ｉによって除去されるため、別途ガラスフリット６ａを除去する工程を行なう必要はない。但し、別途ガラスフリット６ａを除去する工程を追加することで、後述する焼成工程Ｓ３２Ｈにおいて、ガラスフリット６ａの焼成時間を短縮できるとともに、研磨工程Ｓ３２Ｉの研磨に要する時間も短縮することができる。なお図１２では、ガラスフリット６ａの残渣の図示を省略している。
【００５６】
続いて、図１２に示すように、メタルマスク８０を取り除くメタルマスク除去工程Ｓ３２Ｅを行った後、貫通孔３０、３１内に充填されたガラスフリット６ａを焼成して硬化させる焼成工程Ｓ３２Ｈを行う。焼成工程Ｓ３２Ｈでは、貫通孔３０、３１に充填したガラスフリット６ａを所定の温度で焼成して硬化させる。この焼成工程Ｓ３２Ｈを行うことで、貫通孔３０、３１および芯材部７にガラスフリット６ａが強固に固着して筒体６となり、貫通電極３２、３３が形成される。
【００５７】
最後に、ベース基板用ウエハ４０および鋲体９の土台部８を研磨する研磨工程Ｓ３２Ｉを行う。具体的には、芯材部７の先端が露出するまでベース基板用ウエハ４０の外面４０ａ側を研磨するとともに、鋲体９の土台部８を研磨して除去する。その結果、図３に示すように、筒体６と芯材部７とが一体的に固定された貫通電極３２、３３を複数得ることができる。
以上で貫通電極形成工程Ｓ３２が終了する。
【００５８】
次に図９に示すように、引き回し電極形成工程Ｓ３３として、貫通電極にそれぞれ電気的に接続された引き回し電極３６、３７を複数形成する。そして、引き回し電極３６、３７上に、それぞれ金等からなる尖塔形状のバンプを形成する。なお、図９では、図面の見易さのためバンプの図示を省略している。この時点で第２のウエハ作製工程が終了する。
【００５９】
次に、ベース基板用ウエハ４０の引き回し電極３６、３７上に、バンプＢを介して圧電振動片４を接合する実装工程Ｓ４０を行い、その後、ベース基板用ウエハ４０に対してリッド基板用ウエハ５０を重ね合わせる重ね合わせ工程Ｓ５０を行う。
【００６０】
そして、重ね合わせ工程Ｓ５０の後、重ね合わせた２枚のウエハを図示しない陽極接合装置に入れ、所定の温度雰囲気で所定の電圧を印加して陽極接合し、ウエハ体６０を形成する接合工程Ｓ６０を行う。ところで、陽極接合を行う際、図３に示すように、ベース基板用ウエハ４０に形成された貫通孔３０、３１は、貫通電極３２、３３によって完全に塞がれているため、キャビティＣ内の真空状態が貫通孔３０、３１を通じて損なわれることがない。しかも、焼成によって筒体６と芯材部７とが一体的に固定されているとともに、これらが貫通孔３０、３１に対して強固に固着されているため、キャビティＣ内の真空状態を確実に維持することができる。
【００６１】
そして、上述した陽極接合が終了した後、ベース基板用ウエハ４０の外面４０ａに導電性材料をパターニングして、一対の貫通電極３２、３３にそれぞれ電気的に接続された一対の外部電極３８、３９（図３参照）を複数形成する外部電極形成工程Ｓ７０を行う。
【００６２】
次に、ウエハ体６０の状態で、キャビティＣ内に封止された個々の圧電振動子１の周波数を微調整して所定の範囲内に収める微調工程を行う（Ｓ８０）。
周波数の微調が終了後、接合されたウエハ体６０を切断線Ｍに沿って切断して小片化する切断工程を行う（Ｓ９０）。
その後、内部の電気特性検査（Ｓ１００）を行うことで、圧電振動子１の製造が終了する。
【００６３】
以上説明したように、本実施形態に係る圧電振動子の製造方法によれば、ガラスフリット充填工程Ｓ３２Ｄの際、定幅部分８２が延在する第１方向Ｘに沿って可撓スキージ８５を開口部８１上で移動させるので、可撓スキージ８５を開口部８１の定幅部分８２上で移動させる過程において、開口部８１内への可撓スキージ８５の撓み量を一定にすることができる。したがって、可撓スキージ８５からガラスフリット６ａに加えられる押圧力が、可撓スキージ８５の第１方向Ｘの位置に依存してばらつくのを抑えることが可能になり、貫通孔３０、３１内にガラスフリット６ａを確実に充填することができる。これにより、歩留まりが向上された低コストな圧電振動子１を提供することができる。
【００６４】
また、開口部８１の平面視形状が、第１方向Ｘに沿って延在する一辺８１ａを有する矩形状となっているので、開口部８１の定幅部分８２が、開口部８１の第１方向Ｘの全長にわたって延在することとなる。したがって、ガラスフリット充填工程Ｓ３２Ｄの際、可撓スキージ８５からガラスフリット６ａに加えられる押圧力が、可撓スキージ８５の第１方向Ｘの位置に依存してばらつくのを、開口部８１の第１方向Ｘの全長にわたって抑えることが可能になり、貫通孔３０、３１内にガラスフリット６ａをより確実に充填することができる。
また、開口部８１の平面視形状が矩形状なので、メタルマスク８０に開口部８１を容易に形成することができる。
【００６５】
（第２実施形態）
次に、本発明に係る第２実施形態の圧電振動子の製造方法について説明する。
なお、この第２実施形態においては、第１実施形態における構成要素と同一の部分については同一の符号を付し、その説明を省略し、異なる点についてのみ説明する。
【００６６】
本実施形態では、図１３に示すように、第２のウエハ作製工程Ｓ３０において、まず、ベース基板用ウエハ７０を、平面視矩形状（図示の例では、平面視正方形状）に形成する。そして、その後のメタルマスク配置工程Ｓ３２Ｃの際、第１方向Ｘがベース基板用ウエハ７０の縁辺７０ｃと平行になるようにベース基板用ウエハ７０上にメタルマスク８０を配置する。図示の例では、メタルマスク８０の開口部８１およびベース基板用ウエハ７０それぞれの中心が一致するように配置している。
【００６７】
以上説明したように、本実施形態に係る圧電振動子の製造方法によれば、メタルマスク配置工程Ｓ３２Ｃの際、第１方向Ｘがベース基板用ウエハ７０の縁辺７０ｃと平行になるようにメタルマスク８０を配置するので、開口部８１から露出されるベース基板用ウエハ７０の孔形成領域Ｒ１の大きさを確保しつつ、メタルマスク８０によって覆われるベース基板用ウエハ７０の外周部Ｒ２を狭くすることができる。
また本実施形態のように、切断して小片化することで複数のベース基板２となるベース基板用ウエハ７０を用いて圧電振動子１（パッケージ５）を製造する場合、１つのベース基板用ウエハ７０からのベース基板２の取り個数は、ベース基板用ウエハ７０の孔形成領域Ｒ１の大きさに依存する。したがって、ベース基板用ウエハ７０の孔形成領域Ｒ１の大きさを確保しつつ、ベース基板用ウエハ７０の外周部Ｒ２を狭くすることで、ウエハ単位面積当たりのベース基板２の取り個数を増加させることができる。
【００６８】
（第３実施形態）
次に、本発明に係る第３実施形態の圧電振動子の製造方法について説明する。
なお、この第３実施形態においては、第１実施形態における構成要素と同一の部分については同一の符号を付し、その説明を省略し、異なる点についてのみ説明する。
【００６９】
本実施形態では、図１４に示すように、ガラスフリット充填工程Ｓ３２Ｄを、複数回行う。図示の例では、ガラスフリット充填工程Ｓ３２Ｄとして、第１充填工程Ｓ３２１、第２充填工程Ｓ３２２、第３充填工程Ｓ３２３、第４充填工程Ｓ３２４の計４回行う。そして、図１５に示すように、第１充填工程Ｓ３２１の際、可撓スキージ８５を開口部８１上で第１方向Ｘの一方側Ｘ１に向けて移動させ、第２充填工程Ｓ３２２の際、可撓スキージ８５を開口部８１上で第１方向Ｘの他方側Ｘ２に向けて移動させ、第３充填工程Ｓ３２３の際、可撓スキージ８５を開口部８１上で第２方向Ｙの一方側Ｙ１に向けて移動させ、第４充填工程Ｓ３２４の際、可撓スキージ８５を開口部８１上で第２方向Ｙの他方側Ｙ２に向けて移動させる。
なお、上記第１〜４充填工程Ｓ３２１〜Ｓ３２４の順序は特に制限がなく、また、用いる可撓スキージ８５が互いに異なっていても良い。
【００７０】
本実施形態に係る圧電振動子の製造方法によれば、第１〜４充填工程Ｓ３２１〜Ｓ３２４を行うことで、貫通孔３０、３１内に４方向からガラスフリット６ａを充填できるため、貫通孔３０、３１内にガラスフリット６ａを一層確実に充填することができる。
すなわち、第１〜４充填工程Ｓ３２１〜Ｓ３２４のうち、例えば、第１充填工程Ｓ３２１（図１４に示す白抜き矢印参照）のみを行った場合、貫通孔３０、３１内において、芯材部７よりも第１方向Ｘの他方側Ｘ２にはガラスフリット６ａがスムーズに充填される。しかしながら、芯材部７よりも第１方向Ｘの一方側Ｘ１や、芯材部７の第２方向Ｙの両側Ｙ１、Ｙ２にはガラスフリット６ａが充填され難い。したがって、互いに直交する第１方向Ｘおよび第２方向Ｙそれぞれに沿って可撓スキージ８５を往復移動させる第１〜４充填工程Ｓ３２１〜Ｓ３２４を行うことで、貫通孔３０、３１内にガラスフリット６ａを一層確実に充填することができる。
【００７１】
また本実施形態では、開口部８１の平面視形状が矩形状なので、開口部８１の第１方向Ｘに沿った全長にわたって開口幅Ｗ１が一定であり、かつ開口部８１の第２方向Ｙに沿った全長にわたって開口幅Ｗ２が一定である。したがって、第１充填工程Ｓ３２１および第２充填工程Ｓ３２２時に、可撓スキージ８５からガラスフリット６ａに加えられる押圧力が、可撓スキージ８５の第１方向Ｘの位置に依存してばらつくのを、開口部８１の第１方向Ｘの全長にわたって抑えることができる。さらに、第３充填工程Ｓ３２３および第４充填工程Ｓ３２４時に、可撓スキージ８５からガラスフリット６ａに加えられる押圧力が、可撓スキージ８５の第２方向Ｙの位置に依存してばらつくのを、開口部８１の第２方向Ｙの全長にわたって抑えることができる。以上より、貫通孔３０、３１内にガラスフリット６ａをより一層確実に充填することができる。
【００７２】
（発振器）
次に、本発明に係る発振器の一実施形態について、図１６を参照しながら説明する。
本実施形態の発振器１１０は、図１６に示すように、圧電振動子１を、集積回路１１１に電気的に接続された発振子として構成したものである。この発振器１１０は、コンデンサ等の電子素子部品１１２が実装された基板１１３を備えている。基板１１３には、発振器用の前記集積回路１１１が実装されており、この集積回路１１１の近傍に、圧電振動子１の圧電振動片４が実装されている。これら電子素子部品１１２、集積回路１１１及び圧電振動子１は、図示しない配線パターンによってそれぞれ電気的に接続されている。なお、各構成部品は、図示しない樹脂によりモールドされている。
【００７３】
このように構成された発振器１１０において、圧電振動子１に電圧を印加すると、圧電振動子１内の圧電振動片４が振動する。この振動は、圧電振動片４が有する圧電特性により電気信号に変換されて、集積回路１１１に電気信号として入力される。入力された電気信号は、集積回路１１１によって各種処理がなされ、周波数信号として出力される。これにより、圧電振動子１が発振子として機能する。
また、集積回路１１１の構成を、例えば、ＲＴＣ（リアルタイムクロック）モジュール等を要求に応じて選択的に設定することで、時計用単機能発振器等の他、当該機器や外部機器の動作日や時刻を制御したり、時刻やカレンダー等を提供したりする機能を付加することができる。
【００７４】
このような本実施形態の発振器１１０によれば、低コストな圧電振動子１を備えているので、低コスト化を図ることができる。
【００７５】
（電子機器）
次に、本発明に係る電子機器の一実施形態について、図１７を参照して説明する。なお電子機器として、前述した圧電振動子１を有する携帯情報機器１２０を例にして説明する。
始めに本実施形態の携帯情報機器１２０は、例えば、携帯電話に代表されるものであり、従来技術における腕時計を発展、改良したものである。外観は腕時計に類似し、文字盤に相当する部分に液晶ディスプレイを配し、この画面上に現在の時刻等を表示させることができるものである。また、通信機として利用する場合には、手首から外し、バンドの内側部分に内蔵されたスピーカ及びマイクロフォンによって、従来技術の携帯電話と同様の通信を行うことが可能である。しかしながら、従来の携帯電話と比較して、格段に小型化及び軽量化されている。
【００７６】
次に、本実施形態の携帯情報機器１２０の構成について説明する。この携帯情報機器１２０は、図１７に示すように、圧電振動子１と、電力を供給するための電源部１２１とを備えている。電源部１２１は、例えば、リチウム二次電池からなっている。この電源部１２１には、各種制御を行う制御部１２２と、時刻等のカウントを行う計時部１２３と、外部との通信を行う通信部１２４と、各種情報を表示する表示部１２５と、それぞれの機能部の電圧を検出する電圧検出部１２６とが並列に接続されている。そして、電源部１２１によって、各機能部に電力が供給されるようになっている。
【００７７】
制御部１２２は、各機能部を制御して音声データの送信や受信、現在時刻の計測、表示等、システム全体の動作制御を行う。また、制御部１２２は、予めプログラムが書き込まれたＲＯＭと、該ＲＯＭに書き込まれたプログラムを読み出して実行するＣＰＵと、該ＣＰＵのワークエリアとして使用されるＲＡＭ等とを備えている。
【００７８】
計時部１２３は、発振回路やレジスタ回路、カウンタ回路、インターフェース回路等を内蔵する集積回路と、圧電振動子１とを備えている。圧電振動子１に電圧を印加すると圧電振動片４が振動し、該振動が水晶の有する圧電特性により電気信号に変換されて、発振回路に電気信号として入力される。発振回路の出力は二値化され、レジスタ回路とカウンタ回路とにより計数される。そして、インターフェース回路を介して、制御部１２２と信号の送受信が行われ、表示部１２５に、現在時刻や現在日付、カレンダー情報等が表示される。
【００７９】
通信部１２４は、従来の携帯電話と同様の機能を有し、無線部１２７、音声処理部１２８、切替部１２９、増幅部１３０、音声入出力部１３１、電話番号入力部１３２、着信音発生部１３３及び呼制御メモリ部１３４を備えている。
無線部１２７は、音声データ等の各種データを、アンテナ１３５を介して基地局と送受信のやりとりを行う。音声処理部１２８は、無線部１２７又は増幅部１３０から入力された音声信号を符号化及び複号化する。増幅部１３０は、音声処理部１２８又は音声入出力部１３１から入力された信号を、所定のレベルまで増幅する。音声入出力部１３１は、スピーカやマイクロフォン等からなり、着信音や受話音声を拡声したり、音声を集音したりする。
【００８０】
また、着信音発生部１３３は、基地局からの呼び出しに応じて着信音を生成する。切替部１２９は、着信時に限って、音声処理部１２８に接続されている増幅部１３０を着信音発生部１３３に切り替えることによって、着信音発生部１３３において生成された着信音が増幅部１３０を介して音声入出力部１３１に出力される。
なお、呼制御メモリ部１３４は、通信の発着呼制御に係るプログラムを格納する。また、電話番号入力部１３２は、例えば、０から９の番号キー及びその他のキーを備えており、これら番号キー等を押下することにより、通話先の電話番号等が入力される。
【００８１】
電圧検出部１２６は、電源部１２１によって制御部１２２等の各機能部に対して加えられている電圧が、所定の値を下回った場合に、その電圧降下を検出して制御部１２２に通知する。このときの所定の電圧値は、通信部１２４を安定して動作させるために必要な最低限の電圧として予め設定されている値であり、例えば、３Ｖ程度となる。電圧検出部１２６から電圧降下の通知を受けた制御部１２２は、無線部１２７、音声処理部１２８、切替部１２９及び着信音発生部１３３の動作を禁止する。特に、消費電力の大きな無線部１２７の動作停止は、必須となる。更に、表示部１２５に、通信部１２４が電池残量の不足により使用不能になった旨が表示される。
【００８２】
すなわち、電圧検出部１２６と制御部１２２とによって、通信部１２４の動作を禁止し、その旨を表示部１２５に表示することができる。この表示は、文字メッセージであっても良いが、より直感的な表示として、表示部１２５の表示面の上部に表示された電話アイコンに、×（バツ）印を付けるようにしても良い。
なお、通信部１２４の機能に係る部分の電源を、選択的に遮断することができる電源遮断部１３６を備えることで、通信部１２４の機能をより確実に停止することができる。
【００８３】
本実施形態の携帯情報機器１２０によれば、低コストな圧電振動子１を備えているので、低コスト化を図ることができる。
【００８４】
（電波時計）
次に、本発明に係る電波時計の一実施形態について、図１８を参照して説明する。
本実施形態の電波時計１４０は、図１８に示すように、フィルタ部１４１に電気的に接続された圧電振動子１を備えたものであり、時計情報を含む標準の電波を受信して、正確な時刻に自動修正して表示する機能を備えた時計である。
日本国内には、福島県（４０ｋＨｚ）と佐賀県（６０ｋＨｚ）とに、標準の電波を送信する送信所（送信局）があり、それぞれ標準電波を送信している。４０ｋＨｚ若しくは６０ｋＨｚのような長波は、地表を伝播する性質と、電離層と地表とを反射しながら伝播する性質とを併せもつため、伝播範囲が広く、前述した２つの送信所で日本国内を全て網羅している。
【００８５】
以下、電波時計１４０の機能的構成について詳細に説明する。
アンテナ１４２は、４０ｋＨｚ若しくは６０ｋＨｚの長波の標準電波を受信する。長波の標準電波は、タイムコードと呼ばれる時刻情報を、４０ｋＨｚ若しくは６０ｋＨｚの搬送波にＡＭ変調をかけたものである。受信された長波の標準電波は、アンプ１４３によって増幅され、複数の圧電振動子１を有するフィルタ部１４１によって濾波、同調される。
本実施形態における圧電振動子１は、前記搬送周波数と同一の４０ｋＨｚ及び６０ｋＨｚの共振周波数を有する水晶振動子部１４８、１４９をそれぞれ備えている。
【００８６】
更に、濾波された所定周波数の信号は、検波、整流回路１４４により検波復調される。
続いて、波形整形回路１４５を介してタイムコードが取り出され、ＣＰＵ１４６でカウントされる。ＣＰＵ１４６では、現在の年や積算日、曜日、時刻等の情報を読み取る。読み取られた情報は、ＲＴＣ１４８に反映され、正確な時刻情報が表示される。
搬送波は、４０ｋＨｚ若しくは６０ｋＨｚであるから、水晶振動子部１４８、１４９は、前述した音叉型の構造を持つ振動子が好適である。
【００８７】
なお、前述の説明は、日本国内の例で示したが、長波の標準電波の周波数は、海外では異なっている。例えば、ドイツでは７７．５ＫＨｚの標準電波が用いられている。従って、海外でも対応可能な電波時計１４０を携帯機器に組み込む場合には、さらに日本の場合とは異なる周波数の圧電振動子１を必要とする。
【００８８】
本実施形態の電波時計１４０によれば、低コストな圧電振動子１を備えているので、低コスト化を図ることができる。
【００８９】
なお、本発明の技術的範囲は前記実施形態に限定されるものではなく、本発明の趣旨を逸脱しない範囲において種々の変更を加えることが可能である。
例えば、前記実施形態では、リッド基板用ウエハ５０に接合膜３５を形成したが、これとは逆に、ベース基板用ウエハ４０の内面４０ｂに接合膜３５を形成してもよい。この場合は、引き回し電極３６、３７と接合膜３５とが接触しないように、ベース基板用ウエハ４０におけるリッド基板用ウエハ５０との接合面のみに形成することが好ましい。
【００９０】
また前記実施形態では、開口部８１の平面視形状は、第１方向Ｘに沿って延在する一辺８１ａを有する矩形状であるものとしたが、開口部８１が第１方向Ｘに沿って延在する定幅部分８２を備えていれば、これに限られるものではない。つまり、開口部８１の開口幅Ｗ１が、第１方向Ｘの全長にわたって一定でなくても良い。
【００９１】
また前記実施形態では、芯材部配置工程Ｓ３２Ｂの際、鋲体９を用いて芯材部７を貫通孔３０、３１内に挿入するものとしたが、これに限られるものではない。例えば、土台部８に立設されていない芯材部７を用いても良い。
また前記実施形態では、貫通孔３０、３１内に充填される充填材がペースト状のガラスフリット６ａであるものとしたが、これに限られるものではない。例えば、導電性のペースト（例えば銀ペーストなど）であっても良く、この場合、芯材部配置工程Ｓ３２Ｂがなくても良い。
【００９２】
さらに前記実施形態では、貫通電極形成工程Ｓ３２が、孔形成領域Ｒ１に貫通孔３０、３１を形成する貫通孔形成工程３２Ａを有するものとしたが、これに代えて、孔形成領域Ｒ１に、ベース基板用ウエハ４０の外面４０ａ側に開口する凹部（孔部）を形成する凹部形成工程を有していても良い。この場合、例えば、研磨工程Ｓ３２Ｉにおいて、ベース基板用ウエハ４０の内面４０ｂ側を、芯材部７が露出するまで研磨すれば良い。
【００９３】
また前記実施形態では、本発明に係るパッケージの製造方法を使用しつつ、パッケージ５の内部に圧電振動片４を封入して圧電振動子１を製造したが、パッケージ５の内部に圧電振動片４以外の電子部品を封入して、圧電振動子以外のデバイスを製造することも可能である。
さらに前記実施形態では、ベース基板２とリッド基板３との間にキャビティＣを形成した２層構造タイプの圧電振動子１に本発明を適用した場合について説明したが、これに限らず、圧電基板をベース基板とリッド基板とで上下から挟み込むように接合した３層構造タイプの圧電振動子に適用しても構わない。
【００９４】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００９５】
１  圧電振動子
２  ベース基板（第１基板）
３  リッド基板（基板）
４  圧電振動片（電子部品）
６ａ  ガラスフリット（充填材）
３０、３１  貫通孔（孔部）
３２、３３  貫通電極
４０、７０  ベース基板用ウエハ（第１基板）
７０ｃ  縁辺
４０ａ  外面（一方の面）
８０  メタルマスク
８１  開口部
８１ａ  一辺
８２  定幅部分
８５  可撓スキージ
１１０  発振器
１２０  携帯情報機器（電子機器）
１４０  電波時計
Ｃ  キャビティ
Ｒ１  孔形成領域
Ｒ２  外周部
Ｗ１、Ｗ２  開口幅
Ｘ  第１方向（一方向）
【図１】
2011155148.tif 000003
【図２】
2011155148.tif 000004
【図３】
2011155148.tif 000005
【図４】
2011155148.tif 000006
【図５】
2011155148.tif 000007
【図６】
2011155148.tif 000008
【図７】
2011155148.tif 000009
【図８】
2011155148.tif 000010
【図９】
2011155148.tif 000011
【図１０】
2011155148.tif 000012
【図１１】
2011155148.tif 000013
【図１２】
2011155148.tif 000014
【図１３】
2011155148.tif 000015
【図１４】
2011155148.tif 000016
【図１５】
2011155148.tif 000017
【図１６】
2011155148.tif 000018
【図１７】
2011155148.tif 000019
【図１８】
2011155148.tif 000020
【図１９】
2011155148.tif 000021
【図２０】
2011155148.tif 000022
【図２１】
2011155148.tif 000023